(57)【要約】      （修正有）【課題】任意形状の按摩ヘッドを選択的に取り替えられるようにして、一つの按摩器で多種類のマッサージ作用が得られる按摩機を提供する。【解決手段】握り部と、振動やたたき作用を発生する振動機構３と、握り部先端側に設けられ按摩ヘッドを支持する振動支持体８を備えた按摩器１の按摩ヘッドとして椀形状の按摩ヘッド４や先端に球状部を有する多数のブラシからなるブラシ状按摩ヘッド或いはイボイボの突起体が複数個配列された突状按摩ヘッドなど多種類の按摩ヘッドを備える一方、これら各按摩ヘッドの基端軸部４１と振動支持体８との間において共通の着脱可能な係着手段９を設け、任意の按摩ヘッドを振動支持体８に選択的に取付けられるようにした。【選択図】図２
0003189015.tif 000002
【実用新案登録請求の範囲】
【請求項１】
握り部と、振動やたたき作用を発生する振動機構と、握り部先端側に設けられ按摩ヘッドを支持する振動支持体を備えた按摩器において、按摩ヘッドとして椀形状の按摩ヘッドや先端に球状部を有する多数のブラシからなるブラシ状按摩ヘッド或いはイボイボの突起体が複数個配列された突状按摩ヘッドなど多種類の按摩ヘッドを備える一方、これら各按摩ヘッドの基端部と振動支持体との間において共通の着脱可能な係着手段を設け、任意の按摩ヘッドを振動支持体に選択的に取付けられるようにしたことを特徴とする按摩器。
【請求項２】
係着手段として、按摩ヘッドの基端部に軸部を設け、按摩ヘッドの振動支持体に按摩ヘッドの軸部が嵌入する凹状受部を形成する一方、軸部又は凹状受部のうち一方の中間部に係合凹所を形成すると共に、他方の中間部に軸方向と直交する穴部を形成し、かつこの穴部にボールとボールを開口端側へ付勢するばねを内装して、上記係合凹所とボールとばねとからなるディテント機構を設け、上記係合凹所へのボールの係脱によりワンタッチ操作で着脱可能にしたことを特徴とする請求項１記載の按摩器。
【考案の詳細な説明】
【技術分野】
【０００１】  本考案は、按摩ヘッド部を振動させながら身体に押し当て、身体にマッサージ効果を与えて疲労回復を目的とする按摩器に関するものである。
【背景技術】
【０００２】  従来、この種の按摩器は、基端側に握り部が設けられ、また先端側に振動やたたき作用を発生する振動機構と椀状按摩ヘッドとを収容支持するヘッド収容部が設けられた構成となっている。そして、ヘッド収容部から外方に突出する椀状按摩ヘッドの先端部分を振動機構により振動させながら身体に押し当て、身体にマッサージ効果を与えて疲労回復を行うようにしている。
【先行技術文献】
【特許文献】
【０００３】
【特許文献１】特開平９−３２７４８９号公報  図３参照
【考案の概要】
【考案が解決しようとする課題】
【０００４】  ところで、上記した従来の按摩器にあっては、椀状按摩ヘッドはヘッド収容部に内蔵された振動支持体に分離不能に固定された構造となっており、そのため、椀状按摩ヘッドによるマッサージ作用が一つパターンに限定されている。したがって、この按摩器では、例えば多数の箇所に点状の細かな刺激作用与えるマッサージや、複数の箇所に部分的な強い指圧作用を与えるマッサージ或いは細かな刺激作用与える顔面マッサージなど求める多種類のマッサージ作用に対し幅広くに対応することができない問題があった。【０００５】  なお、振動機構により按摩ヘッドの振動の強弱を切換できるようにしたものはあるが、按摩ヘッドの形状に基づくマッサージ作用を基本的に変えることはできないものであった。【０００６】  そこで本考案は、多種類の按摩ヘッドを備えておき、任意の按摩ヘッドを選択的に取り替えられるようにして、一つの按摩器で多種類のマッサージ作用を選択して、求める最適なマッサージを簡単容易に行うことができる按摩器の提供を課題とする。
【課題を解決するための手段】
【０００７】  上記した問題を解決するため、本願の請求項１記載の考案は、握り部と、振動やたたき作用を発生する振動機構と、握り部先端側に設けられ按摩ヘッドを支持する振動支持体を備えた按摩器において、按摩ヘッドとして椀形状の按摩ヘッドや先端に球状部を有する多数のブラシからなるブラシ状按摩ヘッド或いはイボイボの突起体が複数個配列された突状按摩ヘッドなど多種類の按摩ヘッドを備える一方、これら各按摩ヘッドの基端部と振動支持体との間において共通の着脱可能な係着手段を設け、任意の按摩ヘッドを振動支持体に選択的に取付けられるようにしたことを特徴とする。【０００８】  本願の請求項２記載の考案は、上記した請求項１記載の係着手段として、按摩ヘッドの基端部に軸部を設け、按摩ヘッドの振動支持体に按摩ヘッドの軸部が嵌入する凹状受部を形成する一方、軸部又は凹状受部のうち一方の中間部に係合凹所を形成すると共に、他方の中間部に軸方向と直交する穴部を形成し、かつこの穴部にボールとボールを開口端側へ付勢するばねを内装して、上記係合凹所とボールとばねとからなるディテント機構を設け、上記係合凹所へのボールの係脱によりワンタッチ操作で着脱可能にしたことを特徴とする。
【考案の効果】
【０００９】  上記した請求項１記載の考案によれば、多種類の按摩ヘッドを備えておき、任意の按摩ヘッドを選択的に取り替えられるようにしたから、一つの按摩器で多種類のマッサージ作用を選択して、求める最適なマッサージを簡単容易に行うことができる。【００１０】  また、係着手段として、請求項２記載の考案のように種類の異なる複数の按摩ヘッドの基部側軸部と振動支持体の凹状受部との間において、係合凹所と、ボールとばねとからなる共通のディテント機構を設けるようにすれば、上記係合凹所へのボールの係脱によりワンタッチ操作で所望の按摩ヘッドに迅速容易にかつ確実に取り替えることができるのでこのましい。
【図面の簡単な説明】
【００１１】
【図１】本考案に係る按摩器の概略側面図である。
【図２】同按摩器の要部の一部切欠側面図である。
【図３】別の按摩ヘッドを装着した按摩器の要部の縦断側面図である。
【図４】さらに別の按摩ヘッドを装着した按摩器の要部の縦断側面図である。
【図５】別の按摩器の側面図である。
【図６】同按摩器に別の按摩ヘッドを装着した側面図である。
【考案を実施するための形態】
【００１２】  以下本考案の実施の形態を図に基づいて説明する。
【００１３】  図１及び図２は、本考案に係る按摩器を示す。この按摩器１は、電源によるモータ駆動により振動やたたき作用を行うハンドタイプの按摩器であって、基端側に握り部２が設けられ、また先端側に振動やたたき作用を発生する振動機構３と按摩ヘッド４とを収容支持するヘッド収容部７が設けられている。
【００１４】  握り部２には、振動機構３のオンオフと振動の強弱を選択表示する操作スイッチ５が設けられている。操作スイッチ５は握り部２内に内蔵された回路基盤（図示せず）に電気的に接続されている。符号６は握り部の基端部から外方に延びる電源コードである。
【００１５】  ヘッド収容部７には、電動機及び偏芯錘から構成される振動機構３と、按摩ヘッド４を着脱可能でその先端部分がヘッド収容部７から突出するように支持する振動支持体８が内装されている。
【００１６】  按摩ヘッド４としては、図２に示す半円形の椀状按摩ヘッド４の他に、図３に示すような先端に球状部を有する多数のブラシからなるブラシ状按摩ヘッド４Ａや、図４に示すようなイボイボの突起体が複数個配列された突状按摩ヘッド４Ｂなど多種類の按摩ヘッド４…４Ｂを備える。そして、これら按摩ヘッド４…４Ｂのうち任意の按摩ヘッドを振動支持体８に共通の係着手段９を介して選択的に取り付けられるようにしたのである。なお、按摩ヘッドの種類としては、上記した形状のものに限定されるものではないし、また、同様の形状で硬さや大きさ、本数或いは材質などを変えて種類を増やすようにしてもよい。
【００１７】  多種類の按摩ヘッド４…４Ｂの振動支持体８への共通の係着手段９としては、図２に示すようなディテント機構（以下ディテント機構９という）を設けてワンタッチ式に着脱可能に支持している。
【００１８】  具体的には、ディテント機構９として、按摩ヘッド４…４Ｂの基端部に断面四角形の軸部４１…４１をそれぞれ設け、各軸部４１…４１の中間部に係合凹所４１ａ…４１ａを形成する。一方、振動支持体８に按摩ヘッド４…４Ｂの各軸部４１…４１が嵌入する断面四角形の凹状受部８１を形成し、この凹状受部８１の中間部に軸方向と直交する穴部８２を形成し、この穴部８２にボール９１とばね９２を内装し、常時はばね９２によりボール９１の一部が凹状受部８１の内面よりも外方に突出するように付勢支持する。そして、任意の按摩ヘッドの振動支持体８への取付け時には、任意の按摩ヘッドの軸部４１を、ボール９１をばね９２に抗して凹状受部８１の奥側に押し込みながら嵌入し、軸部４１の係合凹所４１ａにボール９１を嵌合させて固定する。また、装着した按摩ヘッドの振動支持体８からの取外し時には、その按摩ヘッドの軸部４１を、ボール９１をばね９２に抗して凹状受部４１ａの奥側に押し込みながら按摩ヘッドの軸部４１を引き抜けばよい。なお、係合凹所４１ａは軸部４１の全周に設けてもよいし、一箇所であってもよい。一箇所の場合、ヘッド収容部７と按摩ヘッドとに差し込み位置を合わせるための位置合わせ用目印（図示せず）を設けておくのがこのましい。
【００１９】  次に、以上のように構成した按摩器の作用について述べる。
【００２０】  通常の肩たたき振動によるマッサージ作用を求める場合には、図１及び図２に示すように椀状按摩ヘッド４を振動支持体８に取り付けた状態のままで使用する。
【００２１】  一方、多数の箇所に点状の細かな刺激作用与えるマッサージを求める場合には、上記按摩器１における椀状按摩ヘッド４を図３に示すブラシ状按摩ヘッド４Ａに取り替えて使用するのであり、また複数の箇所に部分的に強い指圧作用を与えるマッサージを求める場合には、図３に示す突状按摩ヘッド４Ｂに取り替えて使用する。
【００２２】  例えば按摩ヘッド４を按摩ヘッド４Ａに取り替える場合の手順としては、まず、按摩ヘッドＡの軸部４１を、ボール９１をばね９２に抗して凹状受部４１ａの奥側に押し込みながら按摩ヘッドの軸部４１を引き抜き、按摩ヘッド４を振動支持体８から取り外す。次に、按摩ヘッド４Ａの軸部４１を、ボール９１をばね９２に抗して凹状受部８１の奥側に押し込みながら嵌入し、軸部４１の係合凹所４１ａにボール９１を嵌合させて固定する。このようにディテント機構９の係脱によりワンタッチ操作で所望の按摩ヘッドに迅速容易にかつ確実に取り替えることができる。その結果、一つ按摩器でありながら多数の箇所に点状の細かな刺激作用を与えるマッサージの按摩ヘッド４Ａなどに任意に選択して、求める最適なマッサージを選択して行うことができる。
【００２３】  以上のように本考案の按摩器によれば、多種類の按摩ヘッド４…４Ｂを備えておき、任意の按摩ヘッドを選択的に取り替えられるようにしたから、一つの按摩器で多種類のマッサージ作用を簡単容易に選択して、求める最適なマッサージを簡単容易に行うことができる。
【００２４】  また、按摩ヘッド４…４Ｂの振動支持体への着脱可能な係着手段としては、上記したディテント機構９に限定されるものではなく、たとえば、ねじ止め機構や、ばねを利用した嵌め合い機構或いは単なる嵌め合い機構など他の係着手段であってもよい。
【００２５】  また、以上実施の形態では、ハンドタイプの按摩器について説明したけれども、ハンドタイプ以外の按摩器にも広く適用することができる。例えば図５及び図６に示すようなお化粧前の顔面マッサージに用いられる小型のポイント按摩器１などに、多種類の按摩ヘッド４Ｃや４Ｄなどを振動支持体８に対し選択的に着脱可能とする本考案の独特の係着構造を採用すればよいのであり、これにより、幅広いマッサージを選択的に行うことができる。
【００２６】  具体的には、図５に示すキャップ状按摩ヘッド４Ｃや図６に示す柔らかめのブラシ状按摩ヘッド４Ｄなど多種類の按摩ヘッドを用意しておき、これら按摩ヘッドのうち任意の按摩ヘッドを握り部の先端側に設けられる振動支持体８に共通の適宜係着手段（図５及び図６では簡単な嵌め込みによる係合構造）を介して選択的に取り付けられるよう構成すればよい。なお、振動やたたき作用を発生する振動機構は、図示していないが握り部２内に内蔵され、一緒に内蔵される電池を電源として駆動される。
この場合にも、一つの按摩器で多種類のマッサージ作用を選択することができ、より効果的なマッサージ作用を選択して行うことができる。
【符号の説明】
【００２７】１        按摩器
２        握り部
３        振動機構
４        按摩ヘッド
４Ａ      按摩ヘッド
４Ｂ      按摩ヘッド
４Ｃ      按摩ヘッド
４Ｄ      按摩ヘッド
４１      軸部
４１ａ    係合凹所
７        ヘッド収容部
８        振動支持体
８１      凹状受部
８２      穴部
９        ディテント機構（係着手段）
９１      ボール
９２      ばね
【図１】
0003189015.tif 000003
【図２】
0003189015.tif 000004
【図３】
0003189015.tif 000005
【図４】
0003189015.tif 000006
【図５】
0003189015.tif 000007
【図６】
0003189015.tif 000008